(57)【特許請求の範囲】
【請求項１】
ファイル転送を行うサーバとクライアントがネットワークで接続されているファイル転送システムであって、
前記サーバは、
ファイルを格納するサーバファイル格納手段と、
前記サーバファイル格納手段に格納されているファイルのリストを生成し前記クライアントからの要求に応えて送出するファイルリスト送出手段と、
前記クライアントからの要求に応えて前記サーバファイル格納手段に格納されたファイルを送出するファイル送出手段と、
前記ファイル送出手段においてファイルを送信した際に、前記ファイルに関する情報を送信履歴として保存する送信履歴保存手段と、を備え、
前記クライアントは、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、を備え、
前記ファイルリスト送出手段は、前記ファイルリストの生成に際し前記送信履歴保存手段に保存された前記送信履歴の情報を前記リストの内容に反映させ、前記クライアントに送出し、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、前記取得したファイルリストを参照して、受信済みのファイルを除くファイルの転送を要求するよう前記ファイル転送要求手段を制御することを特徴とするファイル転送システム。
【請求項２】
請求項１に記載のファイル転送システムであって、
前記クライアントは、
前記クライアントの個体毎に異なる固有のクライアント識別ＩＤを予め割り当てられており、
要求に応じて前記クライアント識別ＩＤを送出するクライアント識別ＩＤ送出手段を備え、
前記送信履歴保存手段は、
前記ファイル送出手段においてファイルを送信する際に、前記ファイルに前記クライアント識別ＩＤを関連付けて前記ファイルに関する送信履歴として保存する送信履歴保存手段であることを特徴とするファイル転送システム。
【請求項３】
請求項１または２に記載のファイル転送システムであって、
前記クライアントは、
ユーザに対してファイル転送の要否を問い合わせるバックアップ問い合わせインターフェイスを備え、
前記ファイル転送制御手段は、
前記サーバに対して転送を要求すべきファイルが少なくとも１つ以上存在する場合に限り前記バックアップ問い合わせインターフェイスを起動し、その問い合わせ結果に基づいて前記サーバに対するファイル転送要求を実施することを特徴とするファイル転送システム。
【請求項４】
ファイル転送を行うサーバとクライアントがネットワークで接続されているファイル転送システムであって、
前記サーバは、
ファイルを格納するサーバファイル格納手段と、
前記サーバファイル格納手段に格納されているファイルのリストを生成し前記クライアントからの要求に応えて送出するファイルリスト送出手段と、
前記クライアントからの要求に応えて前記サーバファイル格納手段に格納されたファイルを送出するファイル送出手段と、を備え、
前記クライアントは、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、を備え、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、
前記サーバファイル格納手段は、ファイルを格納する媒体として、可搬型の媒体および／または非可搬型の媒体から構成され、
前記ファイルリスト送出手段は、前記ファイルリストの生成に際し、各ファイルが可搬型もしくは非可搬型のいずれの媒体に格納されているかに応じた情報を前記リストの内容に反映させ、前記クライアントに送出するファイルリスト送出手段であり、
前記ファイル転送制御手段は、前記リストの内容に基づき、当前記ファイルが非可搬型の媒体に記録されたものである場合に限り前記サーバに対するファイル転送要求を実施する、
ことを特徴とするファイル転送システム。
【請求項５】
ファイル転送を行うサーバとクライアントがネットワークで接続されているファイル転送システムであって、
前記サーバは、
ファイルを格納するサーバファイル格納手段と、
前記サーバファイル格納手段に格納されているファイルのリストを生成し前記クライアントからの要求に応えて送出するファイルリスト送出手段と、
前記クライアントからの要求に応えて前記サーバファイル格納手段に格納されたファイルを送出するファイル送出手段と、を備え、
前記クライアントは、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、を備え、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、
前記サーバファイル格納手段は、ファイルを格納する媒体として、可搬型の媒体および非可搬型の媒体から構成され、
前記サーバは、前記可搬型の媒体もしくは非可搬型の媒体のいずれを使用するかを指示する媒体指示手段を備え、
前記サーバファイル格納手段は、前記媒体指示手段の指示内容に基づき前記可搬型の媒体または前記非可搬型の媒体のいずれかを排他的に使用し、
前記ファイル転送制御手段は、前記媒体指示手段の指示内容が非可搬型の媒体である場合に限り前記サーバに対するファイル転送要求を実施することを特徴とするファイル転送システム。
【請求項６】
ファイル転送を行うサーバとクライアントがネットワークで接続されているファイル転送システムにおけるクライアントであって、
前記サーバがファイル転送可能な状態であることを検出するサーバ検出手段と、
ファイルを送信した際に、前記ファイルに関する情報を送信履歴として保存し、前記送信履歴の情報を反映させたファイルリストを生成する前記サーバから送出された前記ファイルリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、を備え、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、前記取得したファイルリストを参照して、受信済みのファイルを除くファイルを前記サーバに対して転送を要求するよう前記ファイル転送要求手段を制御する、
ことを特徴とするクライアント。
【請求項７】
請求項６に記載のクライアントであって、
前記クライアントの個体毎に異なる固有のクライアント識別ＩＤを予め割り当てられており、
要求に応じて前記クライアント識別ＩＤを送出するクライアント識別ＩＤ送出手段を備え、
前記送信履歴保存手段は、
前記ファイル送出手段においてファイルを送信する際に、前記ファイルに前記クライアント識別ＩＤを関連付けて前記ファイルに関する送信履歴として保存する送信履歴保存手段であることを特徴とするクライアント。
【請求項８】
請求項６または７に記載のクライアントであって、
ユーザに対してファイル転送の要否を問い合わせるバックアップ問い合わせインターフェイスを備え、
前記ファイル転送制御手段は、
前記サーバに対して転送を要求すべきファイルが少なくとも１つ以上存在する場合に限り前記バックアップ問い合わせインターフェイスを起動し、その問い合わせ結果に基づいて前記サーバに対するファイル転送要求を実施することを特徴とするクライアント。
【請求項９】
ファイル転送を行うサーバとクライアントがネットワークで接続されているファイル転
送システムにおけるクライアントであって、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、
を備え、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、
前記サーバは、
可搬型の媒体および／または非可搬型の媒体から構成されるサーバファイル格納手段と、
各ファイルが可搬型もしくは非可搬型のいずれの媒体に格納されているかに応じた情報を反映させた前記リストを生成し、前記クライアントに送出するファイルリスト送出手段と、を備え、
前記ファイル転送制御手段は、
前記リストの内容に基づき、当前記ファイルが非可搬型の媒体に記録されたものである場合に限り前記サーバに対するファイル転送要求を実施することを特徴とするクライアント。
【請求項１０】
ファイル転送を行うサーバとクライアントがネットワークで接続されているファイル転
送システムにおけるクライアントであって、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、
を備え、
前記ファイル転送制御手段は、新たなサーバが転送可能な状態になったことを前記サーバ検出手段が検出することによって起動され、前記リストに基づき、前記サーバの前記サーバファイル格納手段に格納されたファイルの転送を要求するよう前記ファイル転送要求手段を制御し、
前記サーバは、
可搬型の媒体および非可搬型の媒体から構成されるサーバファイル格納手段と、
前記可搬型の媒体もしくは非可搬型の媒体のいずれを使用するかを指示する媒体指示手段と、を備え、
前記ファイル転送制御手段は、
前記媒体指示手段の指示内容が非可搬型の媒体である場合に限り前記サーバに対するファイル転送要求を実施することを特徴とするクライアント。
【請求項１１】
ファイル転送を行うサーバとクライアントがネットワークで接続されているファイル転送システムにおけるサーバであって、
ファイルを格納するサーバファイル格納手段と、
前記サーバファイル格納手段に格納されているファイルのリストを生成し前記クライアントからの要求に応えて送出するファイルリスト送出手段と、
前記サーバが転送可能な状態になったことを検出することによって起動された前記クライアントのファイル転送制御手段により制御され、前記リストに基づいて前記クライアントのファイル転送要求手段から送信された前記クライアントからの要求に応えて前記サーバファイル格納手段に格納されたファイルを送出するファイル送出手段と、
ファイルを送信した際に、前記ファイルに関する情報を送信履歴として保存する送信履歴保存手段と、を備え、
前記ファイルリスト送出手段は、前記送信履歴保存手段に保存された前記送信履歴の情報を反映させた前記リストを生成し、前記クライアントに送出し、
前記ファイル転送制御手段は、前記取得したファイルリストを参照して、受信済みのファイルを除くファイルの転送を要求するよう前記ファイル転送要求手段を制御する、
ことを特徴とするサーバ。
【請求項１２】
請求項１１に記載のサーバであって、
前記クライアントは、
前記クライアントの個体毎に異なる固有のクライアント識別ＩＤを予め割り当てられており、
要求に応じて前記クライアント識別ＩＤを送出するクライアント識別ＩＤ送出手段を備え、
前記送信履歴保存手段は、前記ファイル送出手段においてファイルを送信する際に、前記ファイルに前記クライアント識別ＩＤを関連付けて前記ファイルに関する送信履歴として保存する送信履歴保存手段である、
ことを特徴とするサーバ。
【請求項１３】
請求項１１または１２に記載のサーバであって、
前記クライアントは、
ユーザに対してファイル転送の要否を問い合わせるバックアップ問い合わせインターフェイスを備え、
前記ファイル転送制御手段は、
前記サーバに対して転送を要求すべきファイルが少なくとも１つ以上存在する場合に限り前記バックアップ問い合わせインターフェイスを起動し、その問い合わせ結果に基づいて前記サーバに対するファイル転送要求を実施することを特徴とするサーバ。
【発明の詳細な説明】
【技術分野】
【０００１】
画像・音声ファイルを転送し格納するファイル転送システムに関するものである。
【背景技術】
【０００２】
画像や音声を撮影する機器としてデジタルビデオカメラやデジタルカメラの普及が進んでいる。またそれらの画像を記録する媒体としては、ＨＤＤ（ハードディスクドライブ）のような非可搬性の媒体や、ＤＶＤ（Ｄｉｇｉｔａｌ  Ｖｅｒｓａｔｉｌｅ  Ｄｉｓｃ）、ＢＤ（ブルーレイディスク）などの可搬性の媒体など、様々なものが用いられている。このうちＨＤＤは大容量などの利点がありよく用いられる。しかし通常は取り外しが困難な為、記録した画像で容量が一杯になってしまった場合、機器の外部に何らかの形でデータを取り出してバックアップを取るか、記録した映像を消去しなければ、それ以上撮影が出来なくなるという欠点がある。
【０００３】
バックアップを取るには、ＰＣ（パーソナルコンピュータ）などの外部機器に接続して、データ転送ソフトウエアなどを用いてデータを転送などを行うなど面倒な操作が必要である。
【０００４】
更にその際、既にバックアップ済みのデータを誤って再びバックアップしてしまうと、データ転送に余分な時間がかかったり、バックアップ先でデータの重複が発生して無駄が生じる可能性がある。逆に、バックアップ済みでないデータのバックアップが漏れてしまうと、誤って消去してしまった場合にデータを消失してしまう可能性がある。
【０００５】
したがって、あるデータがバックアップ済みかそうでないかを管理することが必要であるが、撮影した画像データが増えてくるとそれらの区別、管理が煩雑になり不便である。
【０００６】
そこで、バックアップに際し、バックアップ済みのものとそうでないものの区別を行う技術として、例えば、特開２００４−３１２３６７号（以下、「特許文献１」という）では、デジタルカメラに装着されたメモリカードに記録されている撮影画像がＰＣに送出されると、撮影画像はメモリカード内に生成された転送済みフォルダに移動され、ＰＣでは、転送された撮影画像のバックアップファイルである撮影画像がＨＤに記録され、画像データベースに登録されるという技術が開示されている。
【０００７】
【特許文献１】特開２００４−３１２３６７号
【発明の開示】
【発明が解決しようとする課題】
【０００８】
しかし、特許文献１に記載の技術では、バックアップ済みのファイルを区別する為に別のフォルダを設けそちらにファイルを移動する必要があるため、元のファイル管理の階層構造と異なる管理となる。そのため、ユーザから見ると、バックアップ済みとそうでないものの区別がより一層際立ち、意識せざるを得ないものとなる。
【０００９】
本発明の課題は、画像や音声データをバックアップする際に、ユーザがデータの管理構造を意識することなく、バックアップ済みファイルとそうでないものの区別を行うことを可能にし、バックアップの利便性を高めることである。
【課題を解決するための手段】
【００１０】
上記課題を解決するため、例えば、特許請求の範囲に記載の構成をとる。
【発明の効果】
【００１１】
本発明により、画像や音声データをバックアップする際に、バックアップの利便性を高めることができる。
【発明を実施するための最良の形態】
【００１２】
以下において、図面を用いて本発明について説明する。なお、本発明は図示例に限定されるわけではない。
【実施例１】
【００１３】
図２に本発明の第１の実施例であるビデオデータ転送システムを示す。１はビデオカメラである。撮影装置１０で撮影した画像や音声のデータは、信号処理部１５で補正・圧縮等の信号処理を施された後、内蔵されたＨＤＤ１１またはブルーレイディスク媒体１２に記録される。
【００１４】
２はＨＤＤ内蔵ＴＶである。ビデオカメラ１とはネットワーク３を介して接続されている。このビデオデータ転送システムにおいてビデオカメラ１は画像・音声データを送出するサーバとして機能する。またＨＤＤ内蔵ＴＶ２は、ビデオカメラ１から送出された画像・音声データを受信し、格納するクライアントとして機能する。
【００１５】
データバックアップの様子を図１を用いて更に詳細に説明する。ビデオカメラ１のサーバ機能が起動され、データ送出が可能となると、ネットワーク３を介して、ブロードキャストメッセージが流される。ＨＤＤ内蔵ＴＶ２のサーバ検出部２２では、このメッセージを受信することにより、ネットワーク３上でビデオカメラ１のサーバが新たに起動したことを検出する。
【００１６】
上記においては、サーバ検出部２２は、サーバの発信したメッセージを受信することによって新たなサーバの出現を検出したが、サーバ検出部２２がネットワーク３を介して、ファイル転送可能状態にあるサーバの存否を定期的に広報して問い合わせ、それに応答したサーバのメッセージを受信することで新たにファイル転送可能状態になったサーバの出現を検出することとしてもよい。
【００１７】
サーバ検出部２２で新たなサーバを検出すると、コンテンツリスト取得部２３にてコンテンツリストすなわちサーバ上のデータファイルのリストの取得処理を行う。そのためにまずコンテンツ取得部２３ではネットワーク３を介してビデオカメラ１に対しリスト要求を出力する。
【００１８】
ビデオカメラ１のリスト生成・送出部１３では、コンテンツ取得部２３から出力されたリスト要求を受信すると、ＨＤＤ１１またはブルーレイディスク媒体１２にアクセスすることによって、それらに格納されているデータファイルのリストを生成する。さらに、生成したリストをネットワーク３を介してＨＤＤ内蔵ＴＶ２に送出する。
【００１９】
ＨＤＤ内蔵ＴＶ２のコンテンツリスト取得部２３では、リスト生成・送出部１３から送出された上記リストをコンテンツリストとして受信する。
【００２０】
図３に、取得したコンテンツリストの一例を示す。各コンテンツ毎に以下のような情報が含まれている。ファイル名は、コンテンツファイルの名称である。種別は、動画・静止画・音声などコンテンツの種類を示す。サーバ名はサーバを識別する名称でありこの例ではビデオカメラ１である。媒体はサーバであるビデオカメラ１において当該ファイルを格納している媒体を示す。この例ではＨＤＤはＨＤＤ１１を、ＢＤはブルーレイディスク媒体１２を示している。
【００２１】
コンテンツリストの取得を完了すると、次にファイル転送制御部２４は、バックアップの要否を判断する。以下、それについて説明する。
【００２２】
ファイル転送制御部２４は、取得した上記コンテンツリストと受信履歴保存手段２８に保存されている受信履歴を参照・比較する。受信履歴は過去にＨＤＤ内蔵ＴＶ２にバックアップを行ったファイルの履歴である。その一例を図４に示す。
【００２３】
コンテンツリストと受信履歴の比較の結果、コンテンツリストに存在するファイルのうち、受信履歴には存在しないファイルについては、バックアップが未済みのものであると判断する。図３と図４の例では、ファイルＡＢＣ１０２９．ｍｐｇおよびファイルＡＢＣ１０３０．ｍｐｇがバックアップ未済みのファイルに該当する。そして、このようなバックアップ未済みのファイルが１つ以上ある場合には、バックアップが必要と判断する。
【００２４】
ファイル転送制御部２４は、バックアップが必要と判断した場合には、問い合わせＩ／Ｆ部２５に対し、ユーザに対する問い合わせを行うよう指示を出す。
【００２５】
問い合わせＩ／Ｆ部２５は、上記指示を受けるとユーザに対してファイル転送を行うかどうかの問い合わせを行う。
【００２６】
図１０は問い合わせＩ／Ｆ部２５によってユーザに問い合わせを行う画面の例である。この問い合わせに対してユーザはＹｅｓまたはＮｏの回答を行う。問い合わせＩ／Ｆ部２５は、上記ユーザからの回答結果をファイル転送制御部２４に伝える。
【００２７】
ファイル転送制御部２４は、ユーザからの上記回答結果がＹｅｓであった場合には、以後ファイルのバックアップに関する処理を続行する。また、ユーザがＮｏと答えた場合には以後のバックアップに関する処理は行わず、処理を中断する。ユーザがＹｅｓと回答した場合に関して、以下説明を続ける。
【００２８】
次にファイル転送制御部２４は、上述のコンテンツリストと受信履歴の比較結果に基づきバックアップが未済みのファイルについて、ファイル転送要求部２６に対してファイルを取得するよう指示を出す。
【００２９】
ファイル転送要求部２６は、上記ファイル転送制御部２４からの指示に基づき、ファイル取得要求をネットワーク３を介してビデオカメラ１に出力する。
【００３０】
ビデオカメラ１のファイル送出部１４では、上記ファイル取得要求を受信すると、該当するファイルをＨＤＤ１１もしくはブルーレイディスク媒体１２から読み取り、ＨＤＤ内蔵ＴＶ２に対して送信する。
【００３１】
ＨＤＤ内蔵ＴＶ２のファイル受信部２７では、上記送信されたファイルを受信し、ＴＶの内蔵ＨＤＤ２１に格納する。またその際、ファイル受信部２７は、当該ファイルに関する情報および送信元サーバに関する情報を受信履歴保存手段２８に伝える。
【００３２】
受信履歴保存手段２８は、ファイル受信部２７より受け取った情報に基づいて、受信履歴を更新し保持する。
【００３３】
以上によって、本実施例では、ビデオカメラをＴＶが自動的に検出し、ユーザはＹｅｓまたはＮｏと答えるだけで簡単にビデオカメラの撮影データをＴＶの内蔵ＨＤＤにバックアップさせることが可能となり、ユーザの利便性が格段に向上する。
【００３４】
また、各ファイル毎にバックアップの必要性をユーザが意識せずに済むので大変便利である。
【実施例２】
【００３５】
次に、本発明の第２の実施例について説明する。第１の実施例と同様の内容については説明を省略する。
【００３６】
第１の実施例との違いはファイル転送制御部２４におけるバックアップの要否を判断する仕方にある。以下その点について説明する。
【００３７】
ファイル転送制御部２４がコンテンツリストと受信履歴の比較を行い、コンテンツリストに存在するファイルのうち、受信履歴には存在しないファイルについては、バックアップが未済みのものとであると判断する点については第１の実施例と同様である。
【００３８】
しかしながら、バックアップ未済みのファイルが記録されているサーバ側の媒体が可搬型の媒体である場合にはバックアップする対象から除外する。すなわち本実施例の場合ブルーレイディスク媒体１２に記録されているファイルはバックアップの対象としない。
【００３９】
図３と図４を例に取ると、ファイルＡＢＣ１０２９．ｍｐｇおよびファイルＡＢＣ１０３０．ｍｐｇはいずれもコンテンツリストに存在し受信履歴には存在しないファイルであるが、ＢＤすなわちブルーレイディスク媒体に記録されているファイルを除外すると、ファイルＡＢＣ１０２９．ｍｐｇだけがバックアップ対象のファイルとなる。
【００４０】
以後、第１の実施例と同様にバックアップのための処理を行う。
【００４１】
なお、可搬型の媒体をバックアップの対象から除外するのは次のような理由からである。すなわち、ＨＤＤのような非可搬型の媒体は、ユーザが容易に取り外すことができないため、記録データで媒体が一杯になってしまった場合には、記録データを外部にバックアップするか、データを消去しない限り、それ以上記録を行うことが出来ないため、バックアップを行うことに対する必然性は大変高い。
【００４２】
しかしながら、ブルーレイディスクのような可搬型の媒体は、ユーザが容易に交換可能であり、記録データで媒体が一杯になってしまった場合は、その媒体を取り出して別の新たな媒体と交換することにより、更に記録を行うことが可能である。またそのように取り出した媒体そのものをバックアップとして保管することが可能である。したがって、ＨＤＤのような非可搬型の媒体と比較すると、他の媒体へデータのバックアップを行うことに対する必然性は高くない為である。
【実施例３】
【００４３】
次に、本発明の第３の実施例について説明する。第１の実施例と同様の内容については説明を省略する。
【００４４】
図５に本実施例のビデオカメラ１を示す。実施例１との違いは、撮影した映像を記録する媒体を指示する媒体選択スイッチ１６を設けたことである。すなわち、撮影装置１０で撮影した画像や音声のデータは、信号処理部１５で補正・圧縮等の信号処理を施された後、
媒体選択スイッチ１６の指定に基づき、内蔵されたＨＤＤ１１またはブルーレイディスク媒体１２のいずれかに排他的に記録される。
【００４５】
図６に媒体選択スイッチ１６の一例を示す。１６１は選択つまみであり、ビデオカメラ１の電源スイッチを兼ねている。選択つまみ１６を右に回転させメディア選択の位置に合わせる度に、ＨＤＤ１１とブルーレイディスク媒体１２の指定が切り替わる。現在指定されている媒体はインジケータ１６２が点灯することによって示される。図６はブルーレイディスク媒体１２が指定されている場合を示している。
【００４６】
媒体選択スイッチ１６がどちらの媒体を指示しているかの情報は、ネットワーク３を介してＨＤＤ内蔵ＴＶ２に伝えられる。
【００４７】
第１の実施例との更なる違いはファイル転送制御部２４におけるバックアップの要否を判断する仕方にある。以下その点について説明する。
【００４８】
ファイル転送制御部２４がコンテンツリストと受信履歴の比較を行い、コンテンツリストに存在するファイルのうち、受信履歴には存在しないファイルについては、バックアップが未済みのものとであると判断する点については第１の実施例と同様である。
【００４９】
しかしながら、ビデオカメラ１の上記媒体選択選択スイッチ１６が、可搬型の媒体すなわちブルーレイディスク媒体１２を指示している場合には、それ以後のバックアップ処理を行わない。
【００５０】
また、上記媒体選択選択スイッチ１６が、非可搬型の媒体すなわちＨＤＤ１１を指示している場合には、以後、第１の実施例と同様にバックアップのための処理を行う。
【００５１】
なお、可搬型媒体にはバックアップを行わない理由は第２の実施例で述べたものと同様である。
【実施例４】
【００５２】
次に、本発明の第４の実施例について説明する。第１の実施例と同様の内容については説明を省略する。
【００５３】
図７に本実施例のビデオデータ転送システムを示す。ＨＤＤ内蔵ＴＶ２は各個体毎に異なるＩＤであるクライアント識別ＩＤを割り当てられている。本実施例においては“ＴＶ２”が割り当てられたクライアント識別ＩＤである。該クライアント識別ＩＤはＩＤ送出部２９に入力されている。
【００５４】
サーバ検出部２２で新たなサーバを検出すると、コンテンツリスト取得部２３はコンテンツ取得部２３ではネットワーク３を介してビデオカメラ１に対しリスト要求を出力する。その際、ＩＤ送出部２９に対し上記クライアント識別ＩＤの送出を指示する。ＩＤ送出部２９は上記指示に基づき、ビデオカメラ１に対し上記クライアント識別ＩＤを送出する。
【００５５】
ビデオカメラ１のリスト生成・送出部１３では、コンテンツリスト取得部２３から上記リスト要求を受信すると、送信履歴保存部１７に保存されている送信履歴を取得する。送信履歴は過去にビデオカメラ１に保存されているコンテンツに対してバックアップを実施したものの履歴である。
【００５６】
図８に、上記送信履歴の一例を示す。各コンテンツ毎に以下のような情報が含まれている。ファイル名は、コンテンツファイルの名称である。種別は、動画・静止画・音声などコンテンツの種類を示す。サーバ名はサーバを識別する名称でありこの例ではビデオカメラ１である。媒体はサーバであるビデオカメラ１において当該ファイルを格納している媒体を示しておりＨＤＤもしくはＢＤで示されている。さらに、バックアップ済送信先の欄は、当該ファイルのバックアップを過去に実施したことがある場合には、そのバックアップ先のクライアント識別ＩＤを示す。空欄は、当該ファイルについては過去バックアップを実施したことが無いことを示す。また、２つ以上のクライアント識別ＩＤが記されているファイルは、それぞれのクライアントに対してバックアップを行ったことを示している。
【００５７】
さらに、リスト生成・送出部１３は、ＨＤＤ１１またはブルーレイディスク媒体１２にアクセスすることによって、それらに格納されているデータファイルの一覧を取得する。そして上記送信履歴と照合し、現在ＨＤＤ１１またはブルーレイディスク媒体１２に存在し、かつ、上記送信履歴の中から今回リスト取得要求を行っているクライアントの識別ＩＤ（この例では“ＴＶ２”）が記されていないエントリを抽出する。図８の例ではＡＢＣ１０２９．ｍｐｇおよびＡＢＣ１０３０．ｍｐｇが該当するエントリである。最後にその結果をコンテンツリストとして、ネットワーク３を介してＨＤＤ内蔵ＴＶ２に送出する。
【００５８】
ＨＤＤ内蔵ＴＶ２のコンテンツリスト取得部２３では、リスト生成・送出部１３から送出された上記リストをコンテンツリストとして受信する。
【００５９】
コンテンツリストの取得を完了すると、次にファイル転送制御部２４は、バックアップの要否を判断する。本実施例においては、取得した上記コンテンツリストのエントリが１つ以上存在する場合は、バックアップが見済みのものがあることを意味する。以下、第１の実施例と同様にして、バックアップの処理を実行する。
【００６０】
ビデオカメラ１のファイル送出部１４では、ファイル転送要求部２６からのファイル取得要求を受信すると、該当するファイルをＨＤＤ１１もしくはブルーレイディスク媒体１２から読み取り、ＨＤＤ内蔵ＴＶ２に対して送信する。その際、ファイル送出部１４は、当該ファイルに関する情報および送信先クライアント識別ＩＤに関する情報を送信履歴保存部１７に伝える。
【００６１】
送信履歴保存部１７は、ファイル送出部１４より受け取った情報に基づいて、送信履歴を更新し保持する。
【００６２】
以上のようにして、本実施例でも、実施例１と同様の効果を得ることが可能である。
【実施例５】
【００６３】
次に、本発明の第５の実施例について説明する。第１の実施例と同様の内容については説明を省略する。
【００６４】
図９に本実施例のビデオデータ転送システムを示す。ＨＤＤ内蔵ＴＶ２には、ネットワークファイル格納部２０が設けられており、ファイル受信部２７に接続されている。また、ネットワーク３を介して接続されたデータセンタ４が設けられており、データセンタ４の中にはネットワークストレージ４１が設けられている。
【００６５】
ＨＤＤ内蔵ＴＶ２のファイル受信部２７において、ビデオカメラ１から送信されたファイルを受信するところまでは、実施例１と同様である。その後、受信したファイルは、ネットワークファイル格納部２０に送られる。
【００６６】
ネットワークファイル格納部２０では、ネットワーク３を介して接続されたデータセンタ４に対して、上記ファイルを転送する。
【００６７】
データセンタ４は、ネットワークファイル格納部２０から上記ファイルを受信すると、ネットワークストレージ４１に格納する。
【００６８】
以上のようにして、ネットワークストレージ４１は、ネットワーク３を介し、あたかもＨＤＤ内蔵ＴＶ２の記憶装置であるかのように、バックアップされたファイルを格納することが可能である。
【００６９】
データセンタ４はネットワーク３を介して独立した場所に設置することも可能であるので、大規模なストレージを設けて単位記録容量あたりの単価の低い記録媒体を提供することで低コスト化を図ることなどが可能である。
【産業上の利用可能性】
【００７０】
以上の各実施例の中で述べたネットワーク３の代表例としてはイーサネット（登録商標）を用いた有線ＬＡＮとＩＰプロトコルを組み合わせた方式が考えられるが、それに限定されるものではなくＩＥＥＥ８０２．１１ａ等の無線ＬＡＮ方式やその他の方式でも実現可能である。
【００７１】
またクライアント側の機器としてはＨＤＤ内蔵ＴＶを例に取り説明したがそれに限定されるものではない。ＨＤＤレコーダやＢＤレコーダなどのデジタル録画機器や、ＨＤＤを内蔵したストレージ装置等、画像や音声ファイルのバックアップに適した機能を持つ機器であれば良い。
【００７２】
またサーバ側の機器としてはビデオカメラを例に取り説明したが、それに限定されるものではなく、デジタルカメラやデジタル録音機などでもよい。
【００７３】
またサーバ側機器の記録媒体としてＨＤＤとブルーレイディスクを例に取り説明したが、それらに限定されるものではない。非可搬型の媒体としてはＨＤＤのほかに半導体メモリ素子などでも良く、同様に可搬型の媒体としても、ブルーレイディスクのほかにＤＶＤや磁気テープ、半導体メモリカードなどでも良い。
本発明により、画像や音声データをバックアップする際に、ユーザがデータの管理構造を意識することなく、バックアップ済みファイルとそうでないものの区別を行うことを可能にし、バックアップの利便性を高めることができる。
また上記実施例は以下の構成を開示している。
（１）
ファイル転送を行うサーバとクライアントがネットワークで接続されているファイル転送システムであって、
前記サーバは、
ファイルを格納するサーバファイル格納手段と、
前記サーバファイル格納手段に格納されているファイルのリストを生成し前記クライアントからの要求に応えて送出するファイルリスト送出手段と、
前記クライアントからの要求に応えて前記サーバファイル格納手段に格納されたファイルを送出するファイル送出手段とを備え、
前記クライアントは、
前記サーバがファイル転送可能な状態であることを検出するサーバ検出手段と、
前記サーバ内に格納されているファイルのリストを取得するファイルリスト取得手段と、
ファイル転送の制御を行うファイル転送制御手段と、
前記サーバに対しファイル転送を要求するファイル転送要求手段と、
前記サーバから送出されたファイルを受信するファイル受信手段と、
ファイルを格納するクライアントファイル格納手段と、
を備え、
前記ファイル転送制御手段は、新たなサーバが転送可能な状態になったことを前記サーバ検出手段が検出することによって起動され、前記リストに基づき、前記クライアントファイル格納手段に格納されているファイルを除くファイルを前記サーバに対して転送を要求するよう前記ファイル転送要求手段を制御することを特徴とするファイル転送システム。
（２）
（１）に記載のファイル転送システムであって、
前記クライアントは、
前記ファイル受信手段においてファイルを受信した際に、前記ファイルに関する情報および送信元である前記サーバに関する情報を受信履歴として保存する受信履歴保存手段と、
を備え、
前記ファイル転送制御手段は、
前記受信履歴を参照して、受信済みのファイルを除くファイルを前記サーバに対して転送を要求するよう前記ファイル転送要求手段を制御することを特徴とするファイル転送システム。
（３）
（１）に記載のファイル転送システムであって、
前記サーバは、
前記ファイル送出手段においてファイルを送信した際に、前記ファイルに関する情報を送信履歴として保存する送信履歴保存手段を備え、
前記ファイルリスト送出手段は、前記ファイルリストの生成に際し前記送信履歴保存手段に保存された前記送信履歴の情報を前記リストの内容に反映させ、前記クライアントに送出するファイルリスト送出手段であり、
前記ファイル転送制御手段は、
前記取得したファイルリストを参照して、受信済みのファイルを除くファイルを前記サーバに対して転送を要求するよう前記ファイル転送要求手段を制御することを特徴とするファイル転送システム。
（４）
（３）に記載のファイル転送システムであって、
前記クライアントは、
前記クライアントの個体毎に異なる固有のクライアント識別ＩＤを予め割り当てられており、
要求に応じて前記クライアント識別ＩＤを送出するクライアント識別ＩＤ送出手段を備え、
前記送信履歴保存手段は、
前記ファイル送出手段においてファイルを送信する際に、前記ファイルに前記クライアント識別ＩＤを関連付けて前記ファイルに関する送信履歴として保存する送信履歴保存手段であることを特徴とするファイル転送システム。
（５）
（１）から（４）のいずれか一項に記載のファイル転送システムであって、
前記クライアントは、
ユーザに対してファイル転送の要否を問い合わせるバックアップ問い合わせインターフェイスを備え、
前記ファイル転送制御手段は、
前記サーバに対して転送を要求すべきファイルが少なくとも１つ以上存在する場合に限り前記バックアップ問い合わせインターフェイスを起動し、その問い合わせ結果に基づいて前記サーバに対するファイル転送要求を実施することを特徴とするファイル転送システム。
（６）
（１）から（４）のいずれか一項に記載のファイル転送システムであって、
前記サーバファイル格納手段は、実際にファイルを格納する媒体として、可搬型の媒体および／または非可搬型の媒体から構成され、
前記ファイルリスト送出手段は、前記識別前記ファイルリストの生成に際し、各ファイルが可搬型もしくは非可搬型のいずれの媒体に格納されているかに応じた情報を前記リストの内容に反映させ、前記クライアントに送出するファイルリスト送出手段であり、
前記ファイル転送制御手段は、
前記リストの内容に基づき、当前記ファイルが非可搬型の媒体に記録されたものである場合に限り前記サーバに対するファイル転送要求を実施することを特徴とするファイル転送システム。
（７）
（１）から（４）のいずれか一項に記載のファイル転送システムであって、
前記サーバファイル格納手段は、実際にファイルを格納する媒体として、可搬型の媒体および非可搬型の媒体から構成され、
前記サーバは、
前記可搬型の媒体もしくは非可搬型の媒体のいずれを使用するかを指示する媒体指示手段を備え、
前記サーバファイル格納手段は、
前記媒体指示手段の指示内容に基づき前記可搬型の媒体または前記非可搬型の媒体のいずれかを排他的に使用し、
前記ファイル転送制御手段は、
前記媒体指示手段の指示内容が非可搬型の媒体である場合に限り前記サーバに対するファイル転送要求を実施することを特徴とするファイル転送システム。
（８）
（１）から（４）のいずれか一項に記載のファイル転送システムであって、
前記サーバ検出手段は、
前記ネットワークに対してファイル転送可能状態にあるサーバの存否を定期的に広報して問い合わせ、それに応答したサーバのメッセージを受信することで新たにファイル転送可能状態になったサーバの出現を検出し、あるいは、新たにファイル転送可能状態になった前記サーバから自発的に発行される広報メッセージを受信することによって新たにファイル転送可能状態になったサーバの出現を検出することを特徴とするファイル転送システム。
（９）
（１）から（８）のいずれか一項に記載のファイル転送システムであって、
前記ネットワークに接続され、ネットワークを通じて送信されたファイルを格納するネットワークファイル格納手段を含み、
前記クライアントファイル格納手段は、前記ファイル受信手段において前記サーバから受信したファイルを、前記ネットワークファイル格納手段に送信して格納させることを特徴とするファイル転送システム。
【図面の簡単な説明】
【００７４】
【図１】データ転送システムのブロック図である。
【図２】データ転送システムのブロック図である。
【図３】コンテンツリストの一例である。
【図４】受信履歴の一例である。
【図５】ビデオカメラの一実施例である。
【図６】媒体選択スイッチの説明図である。
【図７】データ転送システムのブロック図である。
【図８】送信履歴の一例である。
【図９】データ転送システムのブロック図である。
【図１０】問い合わせメッセージの説明図である。
【符号の説明】
【００７５】
１…ビデオカメラ、２…ＨＤＤ内蔵ＴＶ、３…ネットワーク、４…データセンタ、１０…撮影装置、１１…ＨＤＤ、１２…ブルーレイディスク媒体、１３…リスト生成・送出部、１４…ファイル送出部、１５…信号処理部、１６…媒体選択スイッチ、２１…内蔵ＨＤＤ、
２２…サーバ検出部、２３…コンテンツリスト取得部、２４…ファイル転送制御部、
２５…問い合わせＩ／Ｆ部、２６…ファイル転送要求部、２７…ファイル受信部、２８…受信履歴保存手段、２９…ＩＤ送出部、４１…ネットワークストレージ
【図１】
0005063280.tif 000002
【図２】
0005063280.tif 000003
【図３】
0005063280.tif 000004
【図４】
0005063280.tif 000005
【図５】
0005063280.tif 000006
【図６】
0005063280.tif 000007
【図７】
0005063280.tif 000008
【図８】
0005063280.tif 000009
【図９】
0005063280.tif 000010
【図１０】
0005063280.tif 000011